【事件の表示】
　特願２００４−２８５６３７「撮像装置又は個人認証装置」拒絶査定不服審判事件〔平成１８年　４月１３日出願公開、特開２００６−　９９４９３〕について、次のとおり審決する。
【結　論】
　本件審判の請求は、成り立たない。
【理　由】
第１　手続の経緯
　本願は、平成１６年９月３０日の出願であって、平成１９年１月１９日付けで拒絶査定がなされ、これに対し、同年２月２１日に拒絶査定不服の審判が請求されるとともに、同年３月２０日付けで手続補正がされたものである。
　
　
第２　平成１９年３月２０日付けの手続補正についての補正却下の決定
［補正却下の決定の結論］
　　平成１９年３月２０日付けの手続補正（以下、「本件補正」という。）を却下する。
［理由］
１．本件補正
　本件補正は、特許請求の範囲についてするもので、その請求項１については、補正前に、
　
（ａ）
「【請求項１】
　指の腹面を下に向けて置く部位を設けたケースと、
　前記ケース面より突起し且つ所定間隔離して配置する１対の突起部と、
　前記突起部間の前記指に対してその側面から光を照射する光源部と、
　前記突起部間で且つ前記ケース面に配置され光の任意波長に対して光透過性を有する干渉フィルタ部と、
　前記干渉フィルタ部の下部に配置され且つ前記干渉フィルタ部を透過した透過光を撮像する撮像部と、
　前記ケース面上で前記指の根元を支える前記指根元支えガイドと前記指の先端を突き当てる指先端ガイドと前記指の先端を支える指先支えガイドと前記突起部に対して垂直方向に設置された細長い形状の掌支えガイドと、
　からなり、前記指根元支えガイドと前記指先端ガイドとは、前記指の腹が前記干渉フィルタ部に接触しないように中指を浮かせる機能を有する個人認証装置。」
　
とあったものを、
　
（ｂ）
「【請求項１】
　指の腹面を下に向けて置く部位を設けたケースと、
　前記ケース面より突起し且つ所定間隔離して配置する１対の突起部と、
　前記突起部間の前記指に対してその側面から光を照射する光源部と、
　前記突起部間で且つ前記ケース面に配置され光の任意波長に対して光透過性を有する干渉フィルタ部と、
　前記干渉フィルタ部の下部に配置され且つ前記干渉フィルタ部を透過した透過光を撮像する撮像部と、
　前記ケース面上で前記指の根元を支える前記指根元支えガイドと
、前記ケース面上で
、前記ケース面上で
、前記ケース面上で
からなり、
　前記指根元支えガイドと前記指先端ガイドとは、前記指の腹が前記干渉フィルタ部に接触しないように中指を浮かせる機能を有
し、前記掌支えガイドは掌の手首側を部分的に支える機能を有する
　
と補正しようとするものである。すると、本件補正は、補正前の請求項１において、「指先端ガイド」が「ケース面上で」前記指の先端を突き当てること、「指先支えガイド」が「ケース面上で」前記指の先端を支えること、「掌支えガイド」が「ケース面上で」前記突起部に対して垂直方向に設置された細長い形状であること、また、「掌支えガイド」は「掌の手首側を部分的に支える機能を有する」とする事項を限定するものであるから、平成１８年改正前特許法第１７条の２第４項第２号に掲げる事項を目的とするものである。
　そこで、本件補正後における特許請求の範囲に記載されている事項により構成される発明が特許出願の際独立して特許を受けることができるものであるか（平成１８年改正前特許法第１７条の２第５項において準用する同法第１２６条第５項に規定する要件を満たすか）否かを、請求項１に係る発明（以下、「本願補正発明」という。）について以下に検討する。
　本願補正発明は、次のとおりのものである。
　
「【請求項１】
　指の腹面を下に向けて置く部位を設けたケースと、
　前記ケース面より突起し且つ所定間隔離して配置する１対の突起部と、
　前記突起部間の前記指に対してその側面から光を照射する光源部と、
　前記突起部間で且つ前記ケース面に配置され光の任意波長に対して光透過性を有する干渉フィルタ部と、
　前記干渉フィルタ部の下部に配置され且つ前記干渉フィルタ部を透過した透過光を撮像する撮像部と、
　前記ケース面上で前記指の根元を支える前記指根元支えガイドと
、前記ケース面上で
、前記ケース面上で
、前記ケース面上で
からなり、
　前記指根元支えガイドと前記指先端ガイドとは、前記指の腹が前記干渉フィルタ部に接触しないように中指を浮かせる機能を有
し、前記掌支えガイドは掌の手首側を部分的に支える機能を有する
　
２．引用刊行物記載の発明
　これに対して、原査定の拒絶の理由に引用された、本願出願日の前である平成１６年９月２４日に頒布された特開２００４−２６５２６９号公報（以下、「引用例」という。）には、図面とともに以下の事項が記載されている。
　
（ａ）
「【特許請求の範囲】
【請求項１】
指を透過する光を照射する光源と、
上記光を撮像する撮像部と、
上記指内部を透過し上記撮像部に入射する光量と、上記指側面表面で反射し上記撮像部に入射する光量とを調節する光量調節手段とを有し、
上記光源が上記指の撮像面に対して水平方向もしくは斜め水平方向に設けられることを特徴とする個人認証装置。
（中略）
【請求項８】
請求項１乃至７の何れかに記載の個人認証装置でおいて、
指の位置を決めるガイド部を更に有することを特徴とする個人認証装置。」
　
（ｂ）
「【０００１】
【発明の属する技術分野】
本発明は生体を用いた個人認証装置に関し、特に指の血管パターンに基づく生体個人認証装置に関する。」
　
（ｃ）
「【００１２】
【発明の実施の形態】
以下、本発明の１実施例を詳細に説明する。
尚、本願明細書において指下面および指下半面は掌側もしくは撮影部側の面、指上面もしくは指上半面は甲側および撮影部側の面の反対面、指側面とは指の掌側および甲側以外の指の面、もしくは上記指上面、指下面以外の面を意味するものとする。
（中略）
【００１５】
図１は、本発明を実現する認証装置１００の概略図である。本体には、上面に、指１０２を置く場所を直感的に理解しやすい形で提示するガイド溝１０８があり、その左右に光源部１０４が配置されている。このガイド溝は指下半面分が隠れる程度の低い側壁として機能も持つ。光源は装置内部にあり、上面がカバーされ、光源開口部１０６を通して、ガイド溝１０８上に置かれた指に向けて照射される。光源部上面のカバーは、所望の照射方向外に拡散した光が、認証指以外の指や掌に反射して、外乱光として撮像に影響を与えるのを抑える役割も果たす。ガイド溝１０８に合わせて指を置くと、指先にあたる部分にボタンスイッチ１１８があり、また、指の第１、第２関節前後の部分に撮影開口部１１０が位置し、下に位置するカメラ（撮影部）１１２から指が撮影できるようになっている。カメラ（撮影部）１１２には、近赤外領域の波長だけを通すフィルタが装着され、可視光領域の光による影響を抑え、血管パターンを鮮明に撮影する。撮影開口部１１０は、光源開口部１０６とともに、透明なガラスやアクリル板で覆われ、光は通しつつ、認証装置内部に異物が入り込むのを防止する。上記ガラスやアクリル板の替わりに、近赤外領域の光のみ通す光学フィルタの板を用いることで、装置保護と可視光除去の二つの機能を一枚の板にまとめることもできる。さらには、筐体を光源開口部や撮影開口部も含め、光学フィルタ素材で一体的に作っても構わない。」
　
（ｄ）
「【００２９】
また、指の太さの個人差は、遮光性能に密接に関連する。なぜなら、指が太いと指の高さは遮光板よりもかなり高くなり、遮光板を超える指の側面面積が大きくなるため十分に透過光を吸収できる反面、指の下半面にも光が当たる可能性が生じる。逆に、細い場合には、指の上半面が遮光板の高さを超えないということになり光が当たる面積が少なく、光量が不足する可能性が生じる。つまり、遮光板の傾きが一定の場合、指が太ければ、指下面側の遮光が不十分になり、逆に細ければ、指上面側への光量が不足する危険性がある。そこで、遮光板の傾きを可変とするか、あるいは、可動ミラー等で反射させるかによって、光源の向きを指の太さに応じて自動調整できるようにしても良い。自動調整する場合の最適位置の検出は、例えば、カメラの撮影画像をリアルタイムで監視し、指側面の飽和領域の面積を求め、血管パターンが明瞭に現れている範囲で、その面積が最小になるように制御すれば良い。血管パターンが明瞭か否かは、血管を表す黒い線と周辺組織の白い部分との輝度比が一定の条件を満たしているかで計測可能である。また、飽和領域の面積は、指の両側境界付近を起点に最大輝度値の画素が連続する領域として抽出できる。このような遮光板の可動機構をさらに応用すれば、図１では丘のように盛り上がって存在している光源部１０４を、認証時以外は装置筐体１００の中に収納しておくこともできる。これによって、待機時の装置形状はさらに薄型で、かつ突起がなくなり、例えば、携帯電話や携帯情報端末への実装に好適となる。」
　
（ｅ）
「【００３１】
図４は、認証装置１００の１バリエーションにおいて、指を置く部分１０８を側面から見た拡大図である。下部に撮影開口部１１０があって、その下にカメラ１１２がある。指を置く部分は、フラット平面でも良いが、図のように、開口部１１０から指先部分にかけて、指が自然に屈曲するように弧を描くようにデザインすることもできる。指をまっすぐに伸ばそうとすると、指の皮膚が緊張し、それによって血管が圧迫されて血液が流れにくくなり、血管パターンが得られないことがある。図のように、弧を描く形状であれば、指が自然に曲がるので、血管を圧迫しない。また、自然に曲がった状態であれば、開口部１１０の透明板面に指が触れることもなく、透明板面との接触によって血管が圧迫されたり、汚れが付着したり、といったこともない。また、開口部１１０を形成する透明板をより下方に設置するか、もしくは指置き台４００を設けることで、指の付け根が開口部１１０に対して浮き上がるようにし、これによって開口部１１０と指が接触することによる血管圧迫をより確実に防ぐことも可能である。また、指先部分のガイド溝の高さは、ちょうど指先の腹部分が収まるだけに制限し、上部を開放することで、爪を長く伸ばしていたり、付け爪をしていたりする人でも不自由なく所定位置に指を置けるようにする。」
　
（ｆ）
「【００３４】
図７は、本発明を銀行等の現金預払機に適用した例である。７００が現金預払機筐体であり、テーブル状の操作面上に、タッチパネル付きのディスプレイ７０２と、認証装置１００が並置されている。現金を引き出す場合、ユーザは、まず片手の指を認証装置１００の指定位置に置く。そして、そのまま反対側の手で、７０２上に表示されるメッセージに合わせて、金額入力等の操作を行う。操作は、個人認証と並行して行われ、認証ができると、現金出入口７０８から現金が出てくる。認証ができない場合には、現金は出ず、再入力を促したり、間違いの回数が多い場合には取引を一時的に無効にしたりする。７０４はカード挿入口であり、必要に応じてキャッシュカードや通帳７０６を挿入する。生体での個人認証を行う場合、一般に、ユーザは認証のために、ストレスを伴う特別な動作を強いられる。例えば、従来の指血管パターンの認証では、心理的抵抗感のある、穴や深い溝の中に指を挿入することが求められる。指紋認証であれば、力を入れてセンサ部を押す必要がある。虹彩認証の場合は、センサカメラに瞬きせずに目を向けていなくてはならない。本発明の認証装置では、開放感のある浅い溝に合わせて、軽く指を置くだけで認証が可能になるので、ストレスを感じにくい。また、無理な力がいらないため、片手をそのままにして、もう片方の手で操作を行うことも容易である。これによって、より低コストな演算装置を用いたり、より処理量の多い高精度認証を行ったりする場合でも、金額等の入力操作の時間内に認証処理が完了していれば、処理時間の長さをユーザに気づかせずに済む。」
　
　引用例の上記記載事項及び図面の内容を総合勘案すると、引用例には、結局、次の発明（以下、「引用発明」という。）が記載されているとすることができる。
　
「指を掌側の面を下に向けて置く場所を直感的に理解しやすい形で提示するガイド溝を設けた本体と、
上記本体上面から丘のように盛り上がって存在しており、上記ガイド溝の左右に配置される光源部と、
上記ガイド溝上に置かれた指に向けて上記指の撮像面に対して水平方向に設けられており、上記光源部の内部から光を照射する光源と、
上記本体のガイド溝に置かれた指の第１、第２関節前後の部分に位置する撮影開口部を覆い、近赤外領域の光のみ通す光学フィルタの板と、
撮影開口部の下に位置し、指が撮影できるようになっている撮像部と、
からなり、
指を置く部分は、指置き台を設けることで、指の付け根が浮き上がるようにし、これによって上記撮影開口部の上記光学フィルタの板面と指が接触することを防ぐことが可能であり、また、指先部分の上記ガイド溝の高さは、ちょうど指先の腹部分が収まるだけに制限された、
個人認証装置を、
現金預払機筐体のテーブル状の操作面上に配置し、片手の指を上記個人認証装置の指定位置に置き、上記ガイド溝に合わせて、軽く指を置くだけで認証が可能になり、無理な力がいらないため、上記片手をそのままにして、もう片方の手で操作を行うことを容易とする装置。」
　
３．対比
　本願補正発明と引用発明とを比較する。
　
　引用発明の「装置」は、「指を掌側の面を下に向けて置く場所を直感的に理解しやすい形で提示するガイド溝を設けた本体」を有する「個人認証装置」を、「現金預払機筐体のテーブル状の操作面上に配置し、片手の指を個人認証装置の指定位置に置き、上記ガイド溝に合わせて、軽く指を置くだけで認証が可能になり、無理な力がいらないため、上記片手をそのままにして、もう片方の手で操作を行うことを容易とする」ものであるから、引用発明は、「個人認証装置」である点、及び、「指の腹面を下に向けて置く部位を設けたケース」を備える点で本願補正発明と共通する。
　引用発明は、「本体上面から丘のように盛り上がって存在しており、上記ガイド溝の左右に配置される光源部」を備えているから、「ケース面より突起し且つ所定間隔離して配置する１対の突起部」を備える点で本願補正発明と共通する。
　引用発明は、「ガイド溝上に置かれた指に向けて上記指の撮像面に対して水平方向に設けられており、上記光源部の内部から光を照射する光源」を備えているから、「突起部間の前記指に対してその側面から光を照射する光源部」を備える点で本願補正発明と共通する。
　引用発明は、「本体のガイド溝に置かれた指の第１、第２関節前後の部分に位置する撮影開口部を覆い、近赤外領域の光のみ通す光学フィルタの板」を備えているから、「突起部間で且つ前記ケース面に配置され光の任意波長に対して光透過性を有する干渉フィルタ部」を備える点で本願補正発明と共通する。
　引用発明は、「撮影開口部の下に位置し、指が撮影できるようになっている撮像部」を備えているから、「干渉フィルタ部の下部に配置され且つ前記干渉フィルタ部を透過した透過光を撮像する撮像部」を備える点で本願補正発明と共通する。
　引用発明は、「指を置く部分は、指置き台を設けることで、指の付け根が浮き上がるようにし、これによって上記撮影開口部の上記光学フィルタの板面と指が接触することを防ぐことが可能であり、また、指先部分の上記ガイド溝の高さは、ちょうど指先の腹部分が収まるだけに制限された」構成を備えているから、「ケース面上で前記指の根元を支える前記指根元支えガイドと、前記ケース面上で前記指の先端を突き当てる指先端ガイドと、前記ケース面上で前記指の先端を支える指先支えガイドと」を備える点で本願補正発明と共通する。また、引用発明の構成において、「指置き台を設けることで、指の付け根が浮き上がるように」なされているところ、「指置き台」だけでなく「指先部分のガイド溝」も、指を浮かせるための支えとなっていることは明らかであるから、引用発明は、「前記指根元支えガイドと前記指先端ガイドとは、前記指の腹が前記干渉フィルタ部に接触しないように中指を浮かせる機能を有」する点で本願補正発明と共通する。
　
　すると、本願補正発明と引用発明とは、次の点で一致する。
　
「　指の腹面を下に向けて置く部位を設けたケースと、
　前記ケース面より突起し且つ所定間隔離して配置する１対の突起部と、
　前記突起部間の前記指に対してその側面から光を照射する光源部と、
　前記突起部間で且つ前記ケース面に配置され光の任意波長に対して光透過性を有する干渉フィルタ部と、
　前記干渉フィルタ部の下部に配置され且つ前記干渉フィルタ部を透過した透過光を撮像する撮像部と、
　前記ケース面上で前記指の根元を支える前記指根元支えガイドと、前記ケース面上で前記指の先端を突き当てる指先端ガイドと、前記ケース面上で前記指の先端を支える指先支えガイドと、
からなり、
　前記指根元支えガイドと前記指先端ガイドとは、前記指の腹が前記干渉フィルタ部に接触しないように中指を浮かせる機能を有し、前記掌支えガイドは掌の手首側を部分的に支える機能を有する個人認証装置。」
　
　一方で、両者は、次の点で相違する。
　
　本願補正発明では、「ケース面上で前記突起部に対して垂直方向に設置された細長い形状の掌支えガイド」を備え、「前記掌支えガイドは掌の手首側を部分的に支える機能を有する」構成であるのに対し、引用発明では、そのような構成を備えていない点。
　
４．判断
　そこで、上記相違点について検討する。
　
　引用発明は、「個人認証装置を現金預払機筐体のテーブル状の操作面上に配置し、片手の指を上記個人認証装置の指定位置に置き、上記ガイド溝に合わせて、軽く指を置くだけで認証が可能になり、無理な力がいらないため、上記片手をそのままにして、もう片方の手で操作を行うことを容易とする」ものであり、個人認証装置に指を置く方の手の掌の手首側の部分が、現金預払機筐体のテーブル状の操作面上に置かれて使用されることは自明であり、よって、引用発明においても、指の根本及び先端だけでなく掌も支える部分を備えるものといえる。ここで、生態情報を取得する技術分野において、身体の一部の動きを規制するために、ガイド等の補助部材を設け、身体が必要な角度や負担がかからないように当該補助部材の形状等を調整することは慣用技術にすぎない。したがって、引用発明において、本願補正発明のように構成することは当業者が適宜なし得る程度のことである。
　
　なお、上記慣用技術に関連して、例えば、特開２００２−２３３５０６号公報には、下記のように記載されている。
　
「【００１６】図３を参照すると、生体情報計測装置(20)は、第１の指の腹部が当たる第１指レスト部(22)と、第２の指の腹部が当たる第２指レスト部(23)と、後記するフラップ部に第３の指の腹部が当たる第３指レスト部(24)を有しており、第１指レスト部(22)、第３指レスト部(24)及び第２指レスト部(23)が互いに隣接して形成されている。第３指レスト部(24)は、その略中央部が前記第１及び第２指レスト部(22)(23)よりも高く盛り上がるように形成されている。この盛上り部の高さは、第１及び第２指レスト部(22)(23)に当接する指の厚さを超えない寸法とすることが好ましい。これらの指レスト部(22)(23)(24)は、指先側が、取付台(25)に夫々取り付けられている。
【００１７】なお、図示はしないが、生体情報計測装置(20)の他の実施例として、掌がフィットする形状及び大きさに形成された掌レストを、前述の指レスト部(22)(23)(24)の指根元側に隣接して形成することもできる。この掌レストは、生体情報計測手段の操作を容易にすることを目的として設けるものであるが、この掌レスト部に被験者の生体情報を検知するためのセンサー手段を配備することも可能である。」
　
　そして、本願補正発明の効果についてみても、引用発明から当然に予測される程度のものにすぎず、格別顕著なものがあるとはいえない。
　したがって、本願補正発明は、引用発明に基づいて当業者が容易に発明をすることができたものである。
　
５．本件補正についてのむすび
　以上のとおり、本願補正発明は、特許法第２９条第２項の規定により特許を受けることができないものであるから、本件補正は、平成１８年改正前特許法第１７条の２第５項で準用する同法第１２６条第５項に規定する要件を満たさないものであり、特許法第１５９条第１項で読み替えて準用する同法第５３条第１項の規定により却下すべきものである。
　
　
第３　本願発明について
１．本願発明
　平成１９年３月２０日付けの手続補正は上記のとおり却下されたので、本願の請求項１ないし３に係る発明は、平成１８年１２月４日付け手続補正書の特許請求の範囲の請求項１ないし３に記載されたとおりのものであるところ、請求項１に係る発明（以下、「本願発明」という。）は、次のとおりのものである。
　
「【請求項１】
　指の腹面を下に向けて置く部位を設けたケースと、
　前記ケース面より突起し且つ所定間隔離して配置する１対の突起部と、
　前記突起部間の前記指に対してその側面から光を照射する光源部と、
　前記突起部間で且つ前記ケース面に配置され光の任意波長に対して光透過性を有する干渉フィルタ部と、
　前記干渉フィルタ部の下部に配置され且つ前記干渉フィルタ部を透過した透過光を撮像する撮像部と、
　前記ケース面上で前記指の根元を支える前記指根元支えガイドと前記指の先端を突き当てる指先端ガイドと前記指の先端を支える指先支えガイドと前記突起部に対して垂直方向に設置された細長い形状の掌支えガイドと、
　からなり、前記指根元支えガイドと前記指先端ガイドとは、前記指の腹が前記干渉フィルタ部に接触しないように中指を浮かせる機能を有する個人認証装置。」（再掲）
　
２．引用刊行物記載の発明
　原査定の拒絶の理由に引用された引用例及びその記載事項は、上記「第２　［理由］２．」に記載したとおりである。
　
３．対比・判断
　本願発明は、上記「第２　［理由］」で検討した本願補正発明から、本願発明の「指先端ガイド」が「ケース面上で」前記指の先端を突き当てること、「指先支えガイド」が「ケース面上で」前記指の先端を支えること、「掌支えガイド」が「ケース面上で」前記突起部に対して垂直方向に設置された細長い形状であること、また、「掌支えガイド」は「掌の手首側を部分的に支える機能を有する」とする事項の限定を省いたものである。
　そうすると、本願発明の発明特定事項をすべて含み、さらに発明特定事項に限定を付加したものに相当する本願補正発明が、上記「第２　［理由］４．」に記載したとおり、引用発明及び周知技術に基づいて当業者が容易に発明をすることができたものであるから、本願発明も同様の理由により、引用発明及び周知技術に基づいて当業者が容易に発明をすることができたものである。
　
４．むすび
　以上のとおり、本願発明は、特許法第２９条第２項の規定により特許を受けることができないものである。
　したがって、本願は、その余の請求項について検討するまでもなく、拒絶すべきものである。
　よって、結論のとおり審決する。